(57)【特許請求の範囲】
【請求項１】
テープラミネートであって、
対向主表面、第１および第２部分、および前記部分のそれぞれの前記主表面の一方のアンカー部分を有する支持層であって、前記支持層の第１および第２部分が前記支持層の対向側の前記アンカー部分と共に略平行に配置される、支持層と、
前記テープラミネートが前記アンカー部分と略平行な静的力に抗して一方のオブジェクトを他方から支持できるように前記アンカー部分を堅いオブジェクトの対向する表面に接合する手段であって、接合するための前記手段が対向端部と、前記端部間で延在する内部および外部対向主表面を有する第１取付ストリップを具備し、前記第１取付ストリップが前記外部主表面の少なくとも一部を画定する接着剤の第１層を具備し、前記第１取付ストリップの前記内部主表面が前記第１部分の前記アンカー層に接合されている、接合するための手段と、
タブ部分を含む手段であって、接着剤の前記第１層の前記外部主表面が接着されるオブジェクトから接着剤の前記第１層の接着係合を解放するために前記タブ部分を引っ張ることで前記第１取付ストリップを伸長させる、手段と、
前記支持層の前記第１および第２部分を分離させる分離手段であって、それによって前記タブ部分へのアクセスと、前記取付ストリップを伸長させることで前記堅いオブジェクトの一方から接着剤の前記第１層の接着係合の解放とができるようにするためにそれらの間に前記タブ部分を備えた接合するための前記手段によって前記アンカー部分が接合される堅いオブジェクトの十分な分離を可能にする、分離手段とを具備する、テープラミネート。
【請求項２】
垂直表面に着脱自在に接着されるようにしたオブジェクトであって、
対向主表面、第１および第２部分、および前記第２部分上の前記主表面の一方のアンカー部分を有する支持層であって、前記第１部分が前記オブジェクトに取り付けられるまたは組み込まれており、前記支持層の前記第２部分が前記第１部分上の前記主表面の部分と略平行な前記アンカー部分と共に配置されている、支持層と、
対向端部、前記端部間で延在する内部および外部対向主表面、前記外部主表面の一部が感圧接着剤によって画定されており、前記内部主表面が前記アンカー部分に接合されており、一端に手で係合可能なタブ部分を有する取付ストリップであって、前記取付ストリップが、前記取付ストリップの前記外部主表面が接着されるオブジェクトから前記取付ストリップの前記外部主表面の接着係合を解放するために前記タブ部分が引っ張られることで伸長可能である、取付ストリップと、
前記支持層の前記第１および第２部分を分離させる分離手段であって、タブ部分にアクセスできるようにそれらの間に前記タブ部分を備えた前記取付ストリップによって前記オブジェクトが接合される表面から前記オブジェクトの十分な分離ができ、それによって前記取付ストリップを伸長させることでその表面から前記取付ストリップを分離できる、分離手段と、を含むオブジェクト。
【請求項３】
裏面を有するオブジェクトとテープラミネートとの組合せであって、該テープラミネートが、
対向主表面、第１および第２部分、および前記部分のそれぞれの前記主表面の一方のアンカー部分を有する支持層であって、前記支持層の第１および第２部分が前記支持層の対向側の前記アンカー部分と共に略平行に配置される、支持層と、
前記オブジェクトの裏面に前記第１部分上のアンカー部分を接合する手段と、
対向端部、前記端部間で延在する内部および外部対向主表面、前記外部主表面の一部が感圧接着剤によって画定されており、前記内部主表面が前記第２部分上のアンカー部分に接合されており、一端に手で係合可能なタブ部分を有する第１取付ストリップであって、前記第１取付ストリップは、第１取付ストリップの前記外部主表面が接着される表面から前記第１取付ストリップの前記外部主表面の接着係合を解放するために前記タブ部分が引っ張られることで伸長可能となる、第１取付ストリップと、
前記支持層の前記第１および第２部分を分離させる分離手段であって、タブ部分にアクセスできるようにそれらの間に前記タブ部分を備えた前記取付ストリップによって前記オブジェクトおよびテープラミネートが接合される表面から前記オブジェクトの十分な分離ができ、それによって前記第１取付ストリップを伸長させることで前記表面から前記第１取付ストリップを分離できる分離手段と、を具備する組合せ。
【発明の詳細な説明】
【０００１】
発明の分野
本発明は、オブジェクトの対向表面がそれによって共に着脱自在に接着される構造体に関する。
【０００２】
発明の背景
対向主表面上に接着層を有する重合体フィルムまたは発泡体の中心層を含むラミネートテープ構造体（例えば、セントポール、ミネソタのＭｉｎｎｅｓｏｔａ  Ｍｉｎｉｎｇ  ａｎｄ  Ｍａｎｕｆａｃｔｕｒｉｎｇ  Ｃｏｍｐａｎｙ社の「Ｗａｌｌｓａｖｅｒ  Ｒｅｍｏｖａｂｌｅ  ｐｏｓｔｅｒ  ｔａｐｅ」、「３Ｍ  Ａｕｔｏｍｏｔｉｖｅ  ａｔｔａｃｈｍｅｎｔ  Ｔａｐｅ」、または「３Ｍ  Ａｃｒｙｌｉｃ  Ｆｏａｍ  Ｔａｐｅ」の商標で市販のテープ構造体）が、ポスター、プラック、または絵画などの壁掛けを壁に接合するなど、２つのオブジェクトの対向表面を共に接合するために使用されている。接着剤が高粘着性感圧接着剤（例えば、上述の「３Ｍ  Ａｃｒｙｌｉｃ  Ｆｏａｍ  Ｔａｐｅ」）であるそのようなテープ構造体がその目的に使用される場合、これらのオブジェクトを後に引き離すことはしばしば困難である。このテープ構造体は、オブジェクト間の非常に狭い面積内に配置され、特にテープ構造体が堅い壁掛けと壁との間にある場合、それは容易に手が届かない。典型的に、オブジェクト間に挿入されたナイフまたは同様の用具で外部表面間のテープ構造体を半分にスライスするか、または一方のオブジェクト（例えば、壁掛け）がねじられるか、他方のオブジェクト（例えば、壁）から引っ張られる試みが行われ、しばしばオブジェクトの一方または両方が損傷することとなる。
【０００３】
ラミネート構造体は、米国特許第４，３１０，１３７号（Ｆｒｙｅ）に記載されており、そのラミネート構造体が一方のオブジェクトを他方のオブジェクトから支持できるように密に間隔を空けて配置されたオブジェクトの対向表面に接着できる感圧接着剤によって画定された対向主表面を有する外部取付層と、外部取付層の一方を他方から離れる外側に力を加えることによって分離できる外部取付層間のティッシュペーパーなど非可融性多孔質材料の分離層とを含む。
【０００４】
感圧接着剤によって少なくとも部分的に画定された対向主表面を有する取付ストリップは、開発されており、オブジェクトを共に接合するために使用され、続いて取付ストリップの端部におけるタブ部分を引っ張ることによって伸長されて先に接続されている取付ストリップとオブジェクトとの間の接着剤接合をきれいに分離する（例えば、米国特許第５，４０９，１８９号（Ｌｕｈｍａｎｎ）および第５，５１６，５８１号（Ｋｒｅｃｋｅｌその外）、米国特許出願第０８／３０８，９３７号（Ｂｒｉｅｓその外）を参照）。このような伸長剥離性取付ストリップは巧く働くが、２つ以上のオブジェクトを接合するこのような取付ストリップの端部におけるタブ部分は、それらのオブジェクトを後に分離したい人が扱うことができる場所に配置されるべきである。それらのオブジェクトの一つが、そのタブ部分を覆う剥離性部分で特別に製造される（米国特許第５，５０７，４６４号、Ｈａｍｅｒｓｋｉその外、を参照）、または、これらのオブジェクトの一つが可撓性である場合、その可撓性オブジェクトはそのタブ部分にアクセスできるように曲げられる。但し、堅いオブジェクトが接続される多くの場合、オブジェクト間から伸長可能な取付ストリップを取り出すためにそのタブ部分とそのような係合ができるようにタブ部分を接続されたオブジェクト間から突出させることが必要となる。このような突出タブ部分は、美観的に好ましくない。
【０００５】
１９９５年５月２４日付けの独国特許公開ＤＥ  ４３  ３９  ６０４は、堅いオブジェクト間から突出するテープ構造体の一部のない堅いオブジェクトを含むオブジェクトの対向表面を共に接合するために使用でき、その後オブジェクトの一方を他方に関して移動させることによってそれらのオブジェクトを分離させることができるテープ構造体を説明する。そのテープ構造体は、オフセットにおいて接着していない、それによって非接着面積がオーバーラップしない、または僅かしかオーバーラップせず、非接着剤面積を引き離すことによって、特に接着剤面の方向に引くことによってそれらで製造された接着剤ジョイントを分離させることができる対向面上に接着面積を有する両面接着テープから製造された分離可能な接着剤ジョイント用接着テープとして記載されている。
【０００６】
１９９６年１１月８日にファイルされた米国特許出願第０８／７４６，３５１号は、オブジェクト間から突出するテープ構造体がない堅いオブジェクトを含むオブジェクトの対向表面を共に（例えば、プラックまたは額に納まった絵を壁に接合する）接合するために使用でき、その語にそれらのいずれも損傷させることなくオブジェクトを容易に分離できるテープ構造体を開示する。そのテープ構造体は、対向主アンカー表面を有する内部分離可能層を具備する。アンカー表面は、オブジェクトの対向表面に接合されるようにしてある（例えば、アンカー表面上の感圧または他のタイプの接着剤の層によって、または熱融合などの他の手段または以下で説明されるような伸長剥離可能な取付ストリップの使用によって）。この内部分離可能層は、それが取り付けられるオブジェクトの一方を垂直に配置されたそのアンカー表面で他方から支持するようにしてあるそのアンカー表面と平行な方向に内部静的剪断強さを有し（例えば、好ましくは、この層が接着される垂直表面で感圧接着剤が展開する最大静的剪断強さにほぼ等しいまたは超えるそのアンカー表面と平行な静的剪断強さを有する）、これらのオブジェクトの表面を損傷することなくそれが接続しているオブジェクトを引き離すことによって分離可能な層の内部分離を可能にするそのアンカー表面と略直角をなす方向に内部動的引張強さを有する。共に取り付けられたオブジェクトの一方または両方から容易に且つきれいに取り外されるようにしてあるラミネートの態様では、ラミネートは、それぞれがオブジェクトに接着される感圧接着剤によって画定された外部表面を有し、それが接着されているオブジェクトへのその外部表面の接着係合を解放するためにエンドタブ部分を手動で引っ張ることによって伸長可能である１つ以上の伸長剥離性取付ストリップを具備する。
【０００７】
発明の開示
本発明は、オブジェクト間から突出するテープ構造体の部分も無く堅いオブジェクトを含むオブジェクトの対向表面を共に接合（例えば、プラックまたは額付き絵を壁に接合する）するために使用され、その後にそれらのいずれも損傷させることなくこれらのオブジェクトを容易に分離できる構造体をも提供する。
【０００８】
本発明によれば、対向主表面、第１および第２部分、およびこれらの部分のそれぞれのその主表面の一つのアンカー部分を有する支持層を具備するテープラミネートが提供される。この支持層の第１および第２部分は、支持層の対向側のアンカー部分と共に、略平行に配置される。テープラミネートがアンカー部分と略平行をなす静的力に抗して一方のオブジェクトを他方から支持できるようにアンカー部分を堅いオブジェクトの対向表面に接合するための手段が提供される。接合するためのこの手段は、端部間に延在する内部および外部対向主表面を有し、第１部分のアンカー部分に接合されている内部主表面で外部主表面の少なくとも一部を画定する接着剤の第１層を具備する第１取付ストリップを具備する。接着剤の第１層の外部主表面が接着されるオブジェクトから接着剤の前記第１層の接着係合を解放するためにタブ部分を手動で引っ張ることによって第１取付ストリップの伸長を可能にするタブ部分を含む手段が提供される。支持層の第１および第２部分の分離を提供するための分離手段も提供され、それによってタブ部分に手が届き、取付ストリップを手動で伸長することによって堅いオブジェクトの一方から接着剤の第１層の接着係合を解放するためにそれらの間の前記タブ部分で接合するための手段によってアンカー部分が接合される堅いオブジェクトの十分な分離も可能となる。
【０００９】
そのテープラミネートの一態様では、そのアンカー部分は、支持層の同主表面の両部分であり、その支持層は、その第１および第２部分の間で折られてアンカー部分を支持層の対向側に配置する。支持層の折り目部分は、互いに離れる第１および第２部分の旋回運動を提供して、支持層の第１および第２部分の分離を提供する手段となる。さらに、支持層が裂ける材料から製造される場合、支持層の第１および第２部分の分離を提供するための代わりの手段を提供するためにその折り目部分に沿って裂ける。故に、このテープラミネートは、例えば、壁に絵を掛けるために使用できる。アンカー部分の一方が絵の上縁部に沿った折り目部分を有する絵の裏面に取り付けられる（すなわち、永久接着剤、機械的締め具、伸長解放取付ストリップ或いは他のもので取り付けられる）。他方の取付部分は、伸長解放取付ストリップによって壁に接着される。その絵はテープラミネートの全体に覆い重なるので、ラミネートは、壁にその絵を支持する間は見えない。壁からその絵を取り外さなければならない場合、絵の底縁部が壁から離れるように回転される。このテープラミネートは、蝶番として働き、テープラミネートの部分が支持層の折り目部分を中心に分離する。その絵を取り外す人は、次に取り付けストリップ上の今や露出しているタブを掴み、それを引っ張って絵とテープラミネートとを壁から取り外すことができる。この取付および取り外しは、壁にいかなる損傷または跡形、または絵に損傷を与えることなく行われる。
【００１０】
テープラミネートの代わりの態様では、アンカー部分のそれぞれは、支持層の対向主表面の異なる方の一部であり、その支持層は、略平面であり、それによって支持層の対向側にアンカー部分を配置する。この支持層は、それらの部分間で手動で引き裂かれるようにしてあり（例えば、ミシン目または刻み目が付けられ）、支持層の第１および第２部分の分離ができるようにするための手段を提供する。
【００１１】
本発明によれば、垂直表面に着脱自在に接着されるようにしたオブジェクト（例えば、絵、たわしまたは缶詰類などの物品の使い捨て容器）も提供されても良く、そのオブジェクトは、対向主表面、第１および第２部分、および第２部分上の主表面の一つのアンカー部分を有する支持層を含むる。第１部分は、オブジェクトに取り付けられるか、または組み込まれ、支持層の第２部分は、第１部分上の主表面の部分と略平行なアンカー部分と共に配置される。上述したタイプの取付ストリップは、アンカー部分に接合されたその内部主表面を有し、その取付ストリップは、支持層の第１および第２部分を分離できるようにする分離手段を含み、タブ部分に手が届き、それによって取付ストリップを引っ張ることによってその表面から取り付けストリップの分離ができるようにタブ部分をそれらの間に備えた取付ストリップによってそのオブジェクトが接合される表面からのオブジェクトの十分な分離ができるようにする。
【００１２】
ある態様では支持層の部分が同一面であり、その支持層は、第１部分から分離される第２部分の両側を画定するためにミシン目が付けられており、第２部分の片側は第１部分に接続されている。この支持層は、ミシン目に沿って破れるようにしてあり、次にそれらの部分間で折りたたまれ、互いに離れるように第１および第２部分の旋回運動を起こさせて支持層の第１および第２部分を分離できるようにするための手段を提供するか、またはそれらの部分間を手で裂かれてその手段を提供する。故に、使い捨て製品の貼り合わせ板紙容器の裏壁は、支持層であり、ミシン目を付けられて第１および第２部分としても良い。この容器は、その容器で隠される取付ストリップを使用してキッチンまたは作業場内の壁に接着されることもある。その容器が空になったとき、ミシン目を破き、取付ストリップ上のタブにアクセスできるようにするために第１および第２部分間のその裏壁を曲げるかまたは裂くことによって容易に取り外され、その後、取付ストリップが壁から容器を取り外すために引っ張られ、容器を支持していた壁に跡形を残さない。
【００１３】
他の態様では、支持層（容器の裏壁であることもある）は、その第１および第２部分間で折られてオブジェクトの裏表面から遠い方にアンカー部分を配置する。その支持層の折り目部分は、第１および第２部分が互いに離れる方向に旋回運動できるようにして支持層の第１および第２部分を分離できる手段を提供する。さらに、その支持層が、裂けられる材料から製造される場合、それは折り目部分に沿って裂かれて、支持層の第１および第２部分を分離できる代わりの手段を提供する。
【００１４】
図面の図１、２、３および４を参照して、参照符号１０で略示されている本発明によるテープラミネートの第１実施例が例示されている。
【００１５】
一般に、テープラミネート１０は、対向主表面、その対向端部に近接した第１および第２部分１４および１５、およびその部分１４および１５のそれぞれのその主表面の同じ方のアンカー部分１６または１７を有する支持層１１を具備する。この支持層１１は、折り目部分１８を有するので、支持層１１の第１および第２部分１４、１５が、支持層１１の対向側のアンカー部分１６、１７と共に略平行に配置される。図２から４に示されるような壁掛け２０および壁２１などの堅いオブジェクトの対向する表面にアンカー部分１６または１７を接合するための手段が提供されるので、テープラミネート１０が、アンカー部分１６、１７と略平行な静的力に抗して一方のオブジェクトを他方から（例えば、図３に示されるように壁掛け２０を壁２１から）支持できる。示されるように、接合するためのこの手段は、それぞれがその端部間で延在する内部および外部対向主表面２６を有し、その外部および内部主表面２６の一部が感圧接着剤で画定されており、その内部主表面がアンカー部分１６または１７の一方に接合されており、それぞれが一端に手で係合可能なタブ部分３０を有する、２つの取付ストリップ２４を具備する。この取付ストリップ２４は、それらの外部主表面２６が接着されるオブジェクトまたは壁掛け２０および壁２１から、およびそれらが接着された支持層１１のアンカー部分１６、１７から、それらの外部および内部主表面２６の接着係合を解放するためにそれらのタブ部分３０が引っ張られることで伸長可能である。テープラミネート１０は、タブ部分３０に手が届き、それによって取付ストリップ２４を引っ張ることで堅いオブジェクトの一方（例えば、壁２１）から取付ストリップ２４の少なくとも一方の分離ができるようにアンカー部分１６、１７がそれらの間にタブ部分３０を備えた取付ストリップ２４によって接合される堅いオブジェクト（例えば、壁掛け２０と壁２１）の十分な分離ができるようにするために支持層１１の第１および第２部分１４、１５を分離させる分離手段を含む。この手段は、支持層１１の第１および第２部分１４、１５の間の折り目部分１８で提供される。この折り目部分１８は、取付ストリップ２４のタブ部分３０にそのようにアクセスできるようにするために図４に示されるように第１および第２部分１４、１５を互いに離れる方向に旋回運動させることができるので、取付ストリップ２４の少なくとも一方が引っ張られて、それが接着されたオブジェクトからそれを外すことができる（例えば、壁２１に接着された取付ストリップ２４が外れると、壁掛け２０を降ろすことができる）。
【００１６】
図５に示されるように、壁掛け３２がたった１つのテープラミネート１０だけで支持するには大きすぎるか重すぎる場合、２つ以上のテープラミネート１０（示されるように２つ）が、壁から壁掛け３２を支持するためにそれらの折り目部分１８を整列配置させて使用される。
【００１７】
テープラミネート１０に使用される取付ストリップ２４は、１９９４年９月２０日にファイルされた米国特許出願第０８／３０８，９３７号（Ｂｒｉｅｓその外）、または対応する国際公開出願第ＷＯ９５／０６６９１号に記載のものが好ましい。一般にこれらの取付ストリップ２４は、中心層のポリマーフォーム（例えば、ポリオレフィンフォーム）と、フォームの層の対向主表面に沿って接合された２層の伸長可能な重合体フィルム（例えば、ポリエチレンまたはポリプロピレンフィルム、線低密度および超線低密度を有するポリエチレンフィルムが好ましい）と、主接着表面を画定し、フォームの層に沿って接合されたものと反対側のフィルムの層の主表面に沿って接着される２層の接着剤とを具備する。これらの取付ストリップ２４は、約３／４インチ（１．９センチメートル）の幅が好ましく、取付ストリップの幅がより大きくなると、接着剤の層を解放させるのに伸長させるのが難しくなる。取付ストリップ２４上の接着剤の層は、基材上に所望の大きさの保持力を提供する必要がある限り製造できる。
【００１８】
代わりに、取付ストリップ２４は、伸長可能な重合体フィルムの単層の対向主表面に沿って接着された主接着表面を画定する２層の接着剤から成るか、または米国特許第５，４０９，１８９号（Ｌｕｈｍａｎｎ）に記載された取付ストリップ４０であることもあり、その取付ストリップ４０はそれぞれが、２つの主接着表面を画定したであろう感圧接着剤の単層４１を含み、それぞれがそれらの突出タブエンド部分の上に重合体フィルムカバー４２を有し、それらが共に接着しないように保ち、それらのタブエンド部分を非粘着表面とし、それによって感圧接着剤の層４１が伸長されて、それらがそれらの表面間で接着されている表面からそれらを解放させる。
【００１９】
この支持層１１は、強くて、容易に曲がり、さらに非伸長可能なでなければならない。支持層１１が製造される材料は、厚紙または紙（例えば、Ｓｍｅａｄ  Ｃｏ．，ヘースティングス、ミネソタ、からの「Ｔａｂ  Ｉｎｓｅｒｔｓ、Ｓｔｏｃｋ  Ｎｏ．Ｃ１５Ｈ」として入手可能な０．０１５インチ（０．０４センチメートル）の厚みの紙材料）、またはこれらに限定されるものではないが、ポリエチレンまたはポリプロピレンなどのポリオレフィンの薄膜層を含む重合体材料、またはアルミ箔などの金属の薄膜層を含む。
【００２０】
支持層が、紙など手で裂くことができる材料から製造される場合、その支持層１１は折り目部分１８に沿って裂かれて、支持層１１の第１および第２部分を分離させるための代わりの手段となる。
【００２１】
図６は、本発明によるテープラミネート５０の第２実施例を示し、テープラミネート１０の部分と同一の部分には、同参照符号の末尾に「ａ」を付加して示されている。テープラミネート５０では、支持層１１ａは、厚紙または紙のものであり、そのように容易に裂けるようにするために折り目部分１８ａに沿ったミシン目５２を有する。テープラミネート５０が壁に支持する壁掛けを掴むと、てこの力が作用して支持層１１ａがミシン目５２に沿って裂け易くなる。
【００２２】
図６で示されたテープラミネート５０は、所定の力が加えられて第１および第２部分１４ａ、１５ａを分離させるまで、それらの互いに対する旋回運動を抑制するための、第１および第２部分１４ａ、１５ａの近接表面間に設けられた剥離可能な接着剤の層５４の形式の手段をも含む。層５４内の接着剤は、第１および第２部分１４ａ、１５ａが比較的容易に手で引き剥がされるように選択される（例えば、米国特許第３，６９１，１４０号に記載の接着剤）。層５４内の接着剤は主に、オブジェクトにテープラミネート５０を付着させる前の第１および第２部分１４ａ、１５ａの望ましくない運動と、テープラミネート５０によって接合されたこれらのオブジェクトを分離させるためにそれらが互いに離れるように移動されるまで互いに離れるようなこれらの望ましくない運動とを抑制するように働く。接着剤のそのような層５４は、ここで示されたテープラミネートの、特に図１から図１２までに示されたテープラミネートを含む実施例の他でも使用できる。
【００２３】
図７は、本発明によるテープラミネート６０の第３実施例を示し、テープラミネート１０の部分と同一の部分には、同参照符号の末尾に「ｂ」を付加して示されている。テープラミネート６０では、支持層１１ｂは、重合体材料から製造され、支持層１１ｂに折り目部分１８ｂを促進する手段を提供する。折り目を促進するこの手段は、そのエンド部分１４ｂ、１５ｂのそれぞれを形成するより堅い材料（例えば、Ｂ．Ｆ．Ｇｏｏｄｒｉｃｈ社の商標＃８７２５６で入手可能なポリ塩化ビニルの厚みが０．０２０インチ（０．０５１センチメートル）の層）と、その折り目１８ｂが形成されるその中心部分６４を形成するより軟質な材料の層（例えば、ｐｅｌａｔｈａｎｅ  ＃２３５２の商標名でＤｏｗ  Ｃｈｅｍｉｃａｌ  Ｃｏ．社から入手可能なポリウレタンの厚みが０．０１７〜０．０２３インチ（０．０４〜０．０６センチメートル）、幅が０．０６インチ（０．１５センチメートル）の層）との２つの材料の押出で形成される支持層１１ｂで提供される。
【００２４】
図８ａは、本発明によるテープラミネート７０ａの第４実施例を示し、テープラミネート１０の部分と同一の部分には、同参照符号の末尾に「ｃ」を付加して示されている。テープラミネート７０ａでは、支持層１１ｃは、厚紙または紙材料、または上述されたタイプの重合体材料から製造され、図６および７を参照して上述された支持層１１ｃの折り目１８ｃを促進する手段を包含することもある。示されるように、エンド部分１４ｃは、折り返されて、曲げ部分１８ｃと反対側のその端部に突出部分７２を提供し、その突出部７２の上に曲げ部分１８ｃと反対側のエンド部分１５ｃの縁が支持されて、そのエンド部分１５ｃが接着されるオブジェクトを支持するのを補助する。突出部７２上でのそのような支持は、テープラミネート７０ａによって他のオブジェクトで支えられるオブジェクトを安定させ易くし、テープラミネート７０ａが使用中の際に支持層１１ｃが曲げ部１８ｃに沿って分離しないように作用する。
【００２５】
図８ｂは、参照符号７０ｂで示される本発明によるテープラミネート７０ａの第４実施例の修正を示し、テープラミネート１０の部分と同一の部分には、同参照符号の末尾に「ｄ」を付加して示されている。テープラミネート７０ｂでは、支持層１１ｄは、重合体材料から製造され、支持層１１ｄの折り目部分１８ｄを促進する手段を含む。図８に示されるように、曲げを促進するためのこの手段は、１種類の材料の押出または成形法によって形成される、そのエンド部分１４ｄおよび１５ｄのそれぞれが第１厚み（例えば、０．０６０インチまたは０．１５センチメートル）を有し、曲げ部分１８ｄが形成されるその部分がより薄く形成されていわゆる「リビングヒンジ（ｌｉｖｉｎｇ  ｈｉｎｇｅ」と称されるものを形成する、支持層１１ｄによって提供される。支持層１１ｄが、例示されるように、任意に、このように製造されると、エンド部分１４ｄは、曲げ部分１８ｄと反対側のその端部からの突出部７４を有することができ、その突出部７４の上で、曲げ部１８ｄと反対側のエンド部分１５ｄの縁が支持されて、エンド部分１４ｄが接着されるオブジェクトから、エンド部分１５ｄが接着されるオブジェクトを支持するのを助ける。突出部７４上でのそのような支持は、テープラミネート７０ｂによって他のオブジェクト上で支えられるオブジェクトを安定させるのを助け、テープラミネート７０ｂが使用中の際に支持層１１ｄが曲げ部１８ｄに沿って分離しないようにするのを助ける。
【００２６】
図面の図９において、本発明によるテープラミネート８０の第５実施例が示されており、対向主表面、その対向端部に近接した第１および第２部分８４、８５、およびその部分８４または８５のそれぞれにその主表面の同じ方のアンカー部分８６または８７を有する支持層８１を具備する。支持層８１は折り目部分８８を有するので支持層８１の第１および第２部分８４、８５は、支持層８１の対向側のアンカー部分８６、８７と共に略平行関係に配置される。図９に示されるように壁掛け８２および壁８３などの堅いオブジェクトの対向する表面にアンカー部分８６または８７を接合するための手段が提供されるので、テープラミネート８０が、アンカー部分８６、８７と略平行な静的力に抗して一方のオブジェクトを他方から（例えば、示されるように壁掛け８２を壁８３から）支えることができる。示されるように、接合するこの手段は、壁掛け８２の裏面にアンカー部分８７を永久的に取り付けるための永久接着剤の層８９と、その端部間で延在する内部および外部対向主表面を有し、その外部および内部主表面の一部が感圧接着剤で画定されており、その内部主表面がアンカー部分８６に接合されている上述したタイプの取付ストリップ２４とを具備し、その取付ストリップ２４は、一端に手で係合可能なタブ部分（図示せず）を有する。支持層８１内の折り目部分８８は、取付ストリップ２４のタブ部分３０にアクセスできるように第１および第２部分８４、８５が互いに離れる方向に旋回運動させることができるので、取付ストリップ２４は、それが接着された壁８３からそれを取り外すために伸長され、壁掛け８２が降ろされる。このテープラミネート８０は、例えば、絵の額縁、小出し箱、標識、および壁プラックを掛けるのに有用となろう。
【００２７】
図面の図１０において、本発明によるテープラミネート９０の第６実施例が示されており、対向主表面、その対向端部に近接した第１および第２部分９４、９５、第２部分９５が容器９３または他のタイプの壁掛けの裏面に組み込まれており、第１部分９４の主表面の一方のアンカー部分９６を有する支持層９１を具備する。この支持層９１は、折り目部分９８を有するので、支持層９１の第１および第２部分９４、９５が略平行関係に配置される。壁（図示せず）などの堅いオブジェクトの表面にアンカー部分９６を接合するための手段が提供されるので、テープラミネート９０がアンカー部分９６と略平行な静的力に抗してオブジェクトまたは壁から容器９３を支持できる。示されるように、接合するためのこの手段は、端部間で延在する内部および外部対向主表面を有し、その外部および内部主表面の一部が感圧接着剤によって画定されており、その内部主表面がアンカー部分９６に接合されており、一端に手で係合可能なタブ部分３０を有する上述のタイプの取付ストリップ２４を具備する。支持層９１内の折り目部分９８は、第１および第２部分９４、９５が互いに離れる方向に旋回運動させて取付ストリップ２４のタブ部分３０にアクセスできるので、取付ストリップ２４が伸長されて、それが接着される壁からそれを取り外すことができ、壁掛けまたは容器９３を降ろすことができる。本実施例のこのテープラミネート９０は、例えば、ティッシュボックス、アントトラップ（ａｎｔ  ｔｒａｐｓ）、および装飾品を掛けるのに有用となる。この支持層９１（上述の支持層８１のような）は、厚紙などの繊維状材料のもの、または重合体材料のもの、またはアルミニウムなどの薄い金属のものであることもある。
【００２８】
図１１および図１２は、テープラミネート９０の修正９０ａ、９０ｂを示す。テープラミネート９０ａでは、容器９３ａは、部分９５ａが組み込まれるバックカード９２を具備し、製品（図示せず）が重合体材料の層９７によってバックカード９７の前面に取り付けられる（例えば、通常の「ブリスターパック」、代わりに、その製品が他の手段によってバックカードに取付られても良い）。テープラミネート９０ｂでは、部分９５ｂは容器９３ｂの前面壁９９に組み込まれ、支持層９１ｂは容器の上部壁の上を越えて延在する。
【００２９】
図面の図１３および図１４において、本発明によるテープラミネート１００の第７実施例が示される。一般に、このテープラミネート１００は、金属の、または重合体材料のものである「ピアノヒンジ」と称されるタイプなど従来のヒンジ形式の支持層１０１を具備する。この支持層１０１は、対向主表面、その対向端部に近接した第１および第２部分１０４、１０５、およびその部分１０４または１０５のそれぞれのその主表面の同じ方のアンカー部分１０６または１０７を有する。この支持層１０１は、ヒンジピン１０８を中心に折り曲げられるので、支持層１０１の第１および第２部分１０４、１０５が、支持層１０１の対向側のアンカー部分１０６、１０７と共に略平行関係に配置される。図１４に示されるように壁掛け１１０および壁１１１などの堅いオブジェクトの対向する表面にアンカー部分１０６または１０７を接合するための手段が提供されるので、テープラミネート１００は、アンカー部分１０６、１０７と略平行な静的力に抗して一方のオブジェクトを他方から支持できる（例えば、示されるように壁１１１から壁掛け１１０）。示されるように、接合するためのこの手段は、それぞれがその端部間で延在する内部および外部対向主表面を有し、その外部および内部主表面の一部が感圧接着剤によって画定されており、その内部主表面がアンカー部分１０６または１０７の一方に接合されており、それぞれが一端に手で係合可能なタブ部分（図示せず）を有する、上述タイプの２つの取付ストリップ２４を具備する。これらの取付ストリップ２４は、それらの外部および内部主表面２６の接着係合を、それらの外部主表面２６が接着されるオブジェクトまたは壁掛けおよび壁１１１からと、支持層１０１上のアンカー部分１０６、１０７から解放するためにそれらのタブ部分が引っ張られることで伸長可能である。このテープラミネート１００は、タブ部分にアクセスできるようにアンカー部分１０６、１０７がそれらの間にタブ部分を備えた取付ストリップ２４によって接合される堅いオブジェクト（例えば、壁掛け１１０および壁１１１）の十分な分離ができるようにするために支持層１０１の第１および第２部分１０４、１０５を分離させるための分離手段を含み、それによって取付ストリップ２４を伸長させることで堅いオブジェクトの一方（例えば、壁１１１）から取付ストリップ２４の少なくとも一方の分離ができる。この手段は、支持層１０１の第１および第２部分１０４、１０５の間のヒンジピン１０８によって提供され、このヒンジピン１０８は、取付ストリップ２４のタブ部分（図示せず）にそのようにアクセスできるようにするために図１４に示されるように第１および第２部分１０４、１０５が互いに離れる方向に旋回運動できるので、取付ストリップ２４の少なくとも一方が伸長されて、それが接着されたオブジェクトからそれを取り外すことができる（例えば、壁１１１に接着された取付ストリップが取り外されるので壁掛け１１０が降ろされる）。テープラミネート１０と同じように、壁掛けがたった１つのテープラミネート１００で支持されるには大きすぎるまたは重すぎる場合、２つ以上のテープラミネート（２、３またはそれ以上）を、壁から壁掛けを支持するように整列配置されたそれらのヒンジピン１０８と共に使用できる。さらに（ここで記載された他のテープラミネートの部分と同様に）、テープラミネート１００の部分１０４、１０５は、取付ストリップ２４が、ヒンジピン１０８の反対側の取付ストリップ２４の端部にそれらのタブ部分を備えたヒンジピン１０８によって画定された部分１０４、１０５間の曲げ部の軸から９０度をなして離れるように延在でき、部分１０４、１０５が曲げ部の軸と平行な方向に十分な長さを有する場合、２つ、３つまたはそれ以上の取付ストリップ２４が部分１０４、１０５のそれぞれに使用できるような形状にすることができる。
【００３０】
図１３および図１４に示されたテープラミネート１００は、所定の力が第１および第２部分１０４、１０５を分離するために加えられるまで相互に対するそれらの旋回運動を抑制するためのそれらの近接表面間に設けられた材料の層１１４の手段をも含み、材料のその層１１４は、オブジェクトにテープラミネートを貼り付ける前の第１および第２部分１０４、１０５の望ましくない運動と、これらのオブジェクトがそれらを分離するために互いに離れるように手で動かされるまでテープラミネート１００によって接合されたこれらのオブジェクトの互いに離れる望ましくない運動を抑制するために主に働く。層１１４内のこの材料は、図６を参照して説明された層５４のタイプの接着剤、または第１および第２部分１０４、１０５が、磁化材料に引きつけられる鋼などの材料のものである場合には磁化材料のものであっても良い。
【００３１】
図面の図１５において、本発明によるテープラミネート１２０の第８実施例が示されており、テープラミネート１００の部分と同一である部分には、同参照符号に末尾「ａ」を付加して示される。一般に、テープラミネート１２０は、支持層または従来型ヒンジ１０１ａを具備し、その支持層１０１ａは、対向主表面、その対向端部に近接した第１および第２部分１０４ａ、１０５ａ、その部分１０５ａのその主表面の一方のアンカー部分１０６ａ、およびその部分１０４ａのその主表面の他方のアンカー部分１２２を有する。この支持層１０１ａは、ヒンジピン１０８ａを中心に折り曲げられるので、支持層１０１ａの第１および第２部分１０４ａ、１０５ａが互いに対して略直角にアンカー部分１０６ａ、１２２と共に配置される。図１５に示されるように壁１２３および壁掛け１２４の上部表面など互いに直角に配置された堅いオブジェクトの表面にアンカー部分１０６ａ、１２２を接合するための手段が提供されるので、テープラミネート１２０は、アンカー部分１０６ａと略平行な静的力に抗して一方のオブジェクトを他方から（例えば、示されるように壁１２３から壁掛け１２４）支持できる。示されるように、接合するためのこの手段は、それぞれが端部間で延在する内部および外部対向主表面を有し、その外部および内部主表面の一部が感圧接着剤によって画定されており、その内部主表面がアンカー部分１０６ａまたは１２２の一方に接合されており、それぞれが一端に手で係合可能なタブ部分（図示せず）を有する、上述されたタイプの２つの取付ストリップ２４を具備する。これらの取付ストリップ２４は、それらの外部および内部主表面の接着係合を、それらの外部主表面が接着されるオブジェクトまたは壁掛け１２４および壁１２３からと、それらが接着された支持層１０１ａ上のアンカー部分１０６ａ、１２２から解放するために、それらのタブ部分が引っ張られることで伸長可能である。このテープラミネート１２０は、アンカー部分１０６ａと壁１２３との間の取付ストリップ２４上のタブ部分にアクセスできるようにアンカー部分１０６ａ、１０７ａが取付ストリップ２４によって接合される堅いオブジェクト（例えば、壁掛け１２４および壁１２３）の十分な分離ができるようにするために支持層１０１ａの第１および第２部分１０４ａ、１０５ａを分離させるための分離手段を含むので、取付ストリップ２４を伸長させることで取り外せる。この手段は、支持層１０１ａの第１および第２部分１０４ａ、１０５ａの間のヒンジピン１０８ａによって提供され、このヒンジピン１０８ａは、タブ部分にそのようにアクセスできるようにするために第１および第２部分１０４ａ、１０５ａが互いに離れる方向に旋回運動できる。
【００３２】
図１６に示されるように、テープラミネート１００または１２０のいずれか２つ以上のものが、一対の壁掛けまたはパネル１２６のそれぞれの片側に沿って使用されて、壁１２８からそれらを支持し、それらを垂直軸を中心に旋回させることができる。１つ以上のパネルのそのような支持は、空間を横切って（例えば、窓の底部部分を横切って）２つのパネル１２６を支持するような、ある目的には有用となる。
【００３３】
上述のテープラミネート１００または１２０内の支持層１０１または１０１ａは、「ピアノヒンジ」と称される従来型のヒンジのタイプとして示されるが、小さな重合体ボックスの本体とカバーとの間のヒンジ構造体としてしばしば使用されるソケット内に枢支係合された複数のボールを含む安価なヒンジ構造体など他の従来型のヒンジ構造も支持層１０１または１０１ａに使用できる。
【００３４】
図面の図１７から図２１までにおいて、本発明によるテープラミネート１３０の第９実施例が示される。一般に、テープラミネート１３０は、対向主表面、その対向端部に近接した第１および第２部分１３４、１３５、およびその部分１３４、１３５のそれぞれの主表面の異なる方のアンカー部分１３６または１３７を有する支持層１３１を具備する。支持層１３１の第１および第２部分１３４、１３５は、支持層１３１の対向側のアンカー部分１３６、１３７と略平行関係に配置される。図１９および２０に示されるように壁掛け１４０および壁１４１などの堅いオブジェクトの対向する表面にアンカー部分１３６または１３７を接合するための手段が提供されるので、テープラミネート１３０は、アンカー部分１３６、１３７と略平行な静的力に抗して一方のオブジェクトを他方から（例えば、示されるように壁１４１から壁掛け１４０）支持できる。示されるように、接合するためのこの手段は、それぞれがその端部間で延在する内部および外部対向主表面２６を有し、その外部および内部主表面２６の一部が感圧接着剤によって画定されており、その内部主表面がアンカー部分１３６または１３７の一方に接合されており、それぞれが一端に手で係合可能なタブ部分３０を有する、上述された２つの取付ストリップ２４を具備する。この取付ストリップ２４は、それらの外部および内部主表面２６の接着係合を、それらの外部主表面２６が接着されるオブジェクトまたは壁掛け１４０および壁１４１からと、それらが接着された支持層１３１上のアンカー部分１３６、１３７から解放するためにそれらのタブ部分３０で引っ張られることで伸長可能である。このテープラミネート１３０は、タブ部分３０にアクセスでき、それによって取付ストリップ２４を伸長させることで堅いオブジェクトの一方（例えば、壁１４１から）から取付ストリップ２４の少なくとも一方の分離ができるようにアンカー部分１３６および１３７がそれらの間のタブ部分３０を備えた取付ストリップ２４によって接合される堅いオブジェクト（例えば、壁掛け１４０と壁１４１）の十分な分離ができるようにするために支持層１３１の第１および第２部分１３４、１３５を分離させる分離手段を含む。この手段は、図２１に示されるように取付ストリップ２４のタブ部分３０にそのようにアクセスできるようにするために、図２０に示されるように第１および第２部分１３４、１３５の間で横方向に裂けるまたは分離される支持層１３１によって提供されるので、取付ストリップ２４は、伸長されて、それらが接着されたオブジェクトからそれを外すことができる。
【００３５】
支持層１３１は、それがそれらの間でその方向に取り付けられるオブジェクトを支持するようにしたそのアンカー表面１３６、１３７と平行な方向に内部静剪断および引張強さを有し（例えば、必ずしも必要ではないが、好ましくは、感圧接着剤が塗布される表面でそれが展開できる最高剪断強さを上回る剪断および引張強さ（例えば、１平方インチ当たり６ポンド））、さらに、テープラミネート１３０が接着されるオブジェクトの表面を損傷させることなく取付ストリップ２４間の支持層１３１を横方向に引裂させることによって支持層１３１を分離できるように選択されたその第１および第２部分１３４、１３５の間に横逐次引裂強さ（例えば、好ましくは約６〜２０ポンドの範囲の動的横引裂強さ、この引裂強さは、テープラミネート１３０が焼き付け塗装仕上げしたセラミック材料または金属などの強い基材にオブジェクトを接着するために使用される場合でも約３０ポンドを超えてはならないし、テープラミネート１３０が、ある壁紙によって提供されるような比較的弱い基材にオブジェクトを接着するために使用される場合、特にその取付ストリップが、その後ろの壁に巧く接着されなかった壁紙の一部分に接着されるような場合には約５〜６ポンド以下である。）を有する。
【００３６】
図１９に示されるように、取付ストリップ２４の外部接着表面が額入り絵画１４０および壁１４１などの２つのオブジェクトの対向する表面に接着される場合、テープラミネート１３０は、支持層１３１のアンカー表面１３６、１３７および接合されたオブジェクト１４０、１４１の対向する表面と略平行な方向に加わった継続的な力に抗してオブジェクトの一方（すなわち、絵１４０）を他方のオブジェクト（すなわち、壁１４１）から支持できる。但し、図２０に示されるように、オブジェクト１４０、１４１は、エンド部分１３４、１３５間の支持層１３１を横方向に引裂および分離するために横逐次引裂力を加えることによって再び分離される。支持層１３１の分離後、取付ストリップ２４は、それぞれ手でそれらのタブ部分３０に係合して図２１の矢印で示された方向に引っ張ることによって伸長されて、取付ストリップ２４と、それにオブジェクト１４０、１４１から接着された支持層１３１の部分１３４、１３５とをきれいに分離できる。
【００３７】
先に記載されたように、好ましくは、テープラミネート１３０に使用された取付ストリップ２４は、米国特許出願第０８／３０８，９３７号（Ｂｒｉｅｓその外）に記載されたものである。図１８に示されるように、これらの取付ストリップ２４は一般に、ポリマーフォームの中心層１４３（例えば、ポリオレフィンフォーム）、フォームの層１４３の対向主表面に沿って接合された２層１４４の伸長可能な重合体フィルム（例えば、ポリエチレンまたはポリプロピレンフィルム、線低密度および超線低密度を有するポリエチレンフィルムが好ましい）、および取付ストリップ２４の主接着表面を画定し、フォームの層１４３に沿って接合されたこれらと反対側のフィルムの層１４４の主表面に沿って接着される２層１４５の接着剤を具備する。これらの取付ストリップ２４は、幅をより大きくすると接着剤の層１４５を解放させるために伸長するのが難しくなるので、約３／４インチ（１．９センチメートル）幅が好ましい。取付ストリップ２４上の接着剤の層１４５は、基材上に所望量の保持力を提供することが必要な限り製造できる。
【００３８】
先に記載されたように、代わりに、取付ストリップ２４は、伸長可能な重合体フィルムの単層の対向主表面に沿って接着された取付ストリップ２４の主接着表面を画定する２層の接着剤から成る、または（図２２に示されるように）米国特許第５，４０９，１８９号（Ｌｕｈｍａｎｎ）に記載された取付ストリップであっても良く、これらの取付ストリップ１５０は、それぞれが、取付ストリップ２４の２つの主接着表面を画定する感圧接着剤の単層１５１を含み、それぞれがそれらの突出タブエンド部分３０の上を覆う重合体フィルムカバー１５２を有し、それらが共に接着しないように保ち、それらのタブエンド部分３０に非粘着表面を提供し、それによって感圧接着剤の層１５１が伸長されて、それらがそれらの間に接着されている表面からそれらを解放させることができる。取付ストリップ２４の一方も、その外部表面のみが感圧接着剤の層で画定され、その内部表面が、ホットメルトまたは放射線硬化性樹脂、または熱接合などの他の手段によって支持層１３１のアンカー表面１３６または１３７の一方に接合されるように修正されても良い。接合のそのような他の手段は、テープラミネート１３０の製造コストを低減するが、そのように修正された取付ストリップ２４は、それが接着された表面からそれを取り外すために伸長できない。
【００３９】
支持層１３１が製造できる材料は、ポリマーフォーム、紙、不織布材料、および段ボール紙を含む。テープラミネート１３０が壁紙または未塗装乾燥壁の表面にオブジェクトを取り付けるために使用される場合、支持層１３１を逐次横方向に引裂させるために必要な動的引張力は、そのような表面に損傷を与える可能性を制限するために約８〜１０ポンド以下でなければならない。対照的に、テープラミネート１３０が塗装した表面（例えば、塗装したセメントブロック、または焼き付け塗装した金属キャビネットの表面）またはガラスまたはセラミック材料の表面にオブジェクトを取り付けるために使用される場合、支持層１３１を横方向に引裂させるために必要な動的引張力は、３０〜３５ポンドの範囲内またはそのような表面に損傷を与えることなく４０ポンドでさえあることもある。テープラミネート１３０が他のタイプの材料（例えば、木材またはベニヤ材）の表面にオブジェクトを取り付けるために使用される場合、支持層１３１を横方向に引裂させるために必要な動的引張力は、これらの表面への損傷を制限するために約２０ポンド未満でなければならない。テープラミネート１３０の異なる実施例は、異なる基材でのテープラミネート１３０の使用に適切であるので、支持層１３１を横方向に引裂、故に分離するために異なる動的引張力が必要な異なる材料の支持層１３１で製造できる。テープラミネート１３０のそのように異なる実施例は、それらを異なる形状および／またはカラーにすることによって記号化されてそれらの使用が適切である基材を示すことができる。
【００４０】
図面の図２３および２４において、本発明によるテープラミネート１６０の第１０実施例が示される。一般に、テープラミネート１６０は、対向主表面、その対向端部に近接した第１および第２部分１６４、１６５、およびその部分１６４、１６５のそれぞれの異なる方のアンカー部分１６６または１６７を有する支持層１６１を具備する。支持層１６１の第１および第２部分１６４、１６５は、支持層１６１の対向側のアンカー部分１６６、１６７と共に略平行関係に配置される。図２４に示されるように壁掛け１６２および壁１６３などの堅いオブジェクトの対向する表面にアンカー部分１６６または１６７を接合するための手段が提供されるので、テープラミネート１６０は、アンカー部分１６６、１６７と略平行な静的力に抗して一方のオブジェクトを他方から（例えば、示されるように壁１７１から壁掛け１７０を）支持できる。示されるように、接合するためのこの手段は、それぞれがその端部間で延在する内部および外部対向主表面を有し、その外部および内部主表面の一部が感圧接着剤によって画定されており、その内部主表面がアンカー部分１６６または１６７の一方に接合されており、それぞれが一端に手で係合可能なタブ部分３０を有する、上述された２つの取付ストリップ２４を具備する。これらの取付ストリップ２４は、それらの外部主表面が接着されるオブジェクトまたは壁掛け１６２および壁１６３からと、それらが接着された支持層１６１のアンカー部分１６６および１６７から、それらの外部および内部主表面の接着係合を解放するためにそれらのタブ部分３０が引っ張られることで伸長可能である。テープラミネート１６０は、タブ部分３０にアクセスでき、それによって取付ストリップ２４を伸長させることで堅いオブジェクトの一方（例えば、壁１６３）から取付ストリップ２４の少なくとも一方の分離ができるようにアンカー部分１６６、１６７がそれらの間にタブ部分３０を備えた取付ストリップ２４によって接合される堅いオブジェクト（例えば、壁掛け１６２と壁１６３）の十分な分離ができるようにするために支持層１６１の第１および第２部分１６４、１６５を分離させる分離手段を含む。支持層１６１内に提供されるこの手段は、部分１６４、１６５のそれぞれの縁部に沿って略Ｊ形状リップ部１６８を具備するその第１および第２部分１６４、１６５と着脱自在に係合する手段を含む。これらのリップ部１６８は、互いに摩擦係合するが、リップ部１６８を分離するためにその摩擦係合に反対して互いに関して長手方向に手動で滑動される、それによって支持層１６１の第１および第２部分１６４、１６５を分離し、取付ストリップ２４のタブ部分３０へのアクセスを提供するので、それらの取付ストリップ２４が伸長されて、それらが接着されたオブジェクト（例えば、壁１６３および壁掛け１６２）からそれらを取り外すことができる。
【００４１】
図面の図２５において、本発明によるテープラミネート１７０の第１１実施例が示され、対向主表面、その対向端部に近接した第１および第２部分１７４、１７５を有し、第１部分１７４が容器の後部壁または他のタイプの壁掛け１７３内に組み込まれている、支持層１７１を具備する。支持層１７１の第２部分１７５は、Ｕ形状カットライン１７７に沿って壁掛け１７３の後部壁から切断され、支持層１７１の第１および第２部分１７４、１７５が略平行関係に配置される。壁（図示せず）などの堅いオブジェクトの表面に第２部分１７５の表面のアンカー部分１７６を接合するための手段が提供されるので、テープラミネート１７０は、アンカー部分１７６と略平行な静的力に抗して壁掛け１７３をオブジェクトまたは壁から支持できる。示されるように、接合するためのこの手段は、端部間で延在する内部および外部対向主表面を有し、その外部および内部主表面２６の一部が感圧接着剤によって画定されており、その内部主表面がアンカー部分１７６に接合されており、一端に手で係合可能なタブ部分３０を有する上述のタイプの取付ストリップ２４を具備する。この支持層１７１は、Ｕ形状カット部１７７の対向端部間で横方向に引裂されて支持層１７１の第１および第２部分１７４、１７５を互いに分離させることができる。部分１７４、１７５のこのような分離は、壁掛け１７３の壁からの分離と、取付ストリップ２４のタブ部分３０へのアクセスとを可能にするので、取付ストリップ２４が伸長されて、それが接着された壁から支持層１７１の第２部分１７５を取り外すことができる。実施例のこのテープラミネート１７０は、例えば、ティッシュの小出しボックスまたはコーヒーフィルタの小出しボックスを掛けるのに有用となる。
【００４２】
図面の図２６において、本発明によるテープラミネート１８０の第１２実施例が示され、対向主表面、その対向端部に近接した第１および第２部分１８４、１８５を有し、第１部分１８４が容器の後部壁または他のタイプの壁掛け１８３に組み込まれている、支持層１８１を具備する。支持層１８１の第２部分１８５は、ミシン目１８７のＵ形状ラインに沿って壁掛け１８３の後部壁から部分的に切断され、支持層１８１の第１および第２部分１８４、１８５は略平行関係に配置される。壁（図示せず）などの堅いオブジェクトの表面に第２部分１８５の表面のアンカー部分１８６を接合する手段が提供されるので、テープラミネート１８０は、アンカー部分１８６と略平行な静的力に抗してオブジェクトまたは壁から壁掛け１８３を支持できる。示されるように、接合するためのこの手段は、端部間で延在する内部および外部対向主表面を有し、その外部および内部主表面２６の一部が感圧接着剤によって画定されており、その内部主表面がアンカー部分１８６に接合されており、一端に手で係合可能なタブ部分３０を有する上述のタイプの取付ストリップ２４を具備する。壁から壁掛けを外そうとする場合、第１部分１８４はミシン目１８７のラインに沿って第２部分１８５から手で分離できる。第１部分１８４は、取付ストリップ２４のタブ部分３０へのアクセスを提供するために、その部分１８４と１８５との間で支持層１８１を曲げることによって第２部分１８５から離れる方向に旋回されるので、取付ストリップ２４は、それが接着される壁からそれを取り外すために伸長されて、壁掛けまたは容器１８３が降ろされる。このテープラミネート１８０実施例は、例えば、ティッシュ、コーヒーフィルタまたは医療品用の小出しボックスを掛けるのに有用となろう。
【００４３】
図面の図２７および２８において、本発明によるテープラミネート１９０の第１３実施例が示される。一般に、テープラミネート１９０は、対向主表面、その対向端部に近接した第１および第２部分１９４、１９５、およびその部分１９４、１９５のそれぞれにその主表面の異なる方のアンカー部分１９６または１９７を有する支持層１９１を具備する。支持層１９１の第１および第２部分１９４、１９５は、支持層１９１の対向側のその主表面のアンカー部分１９６、１９７と略平行関係に配置される。図２８に示されるように壁掛け１９２および壁１９３などの堅いオブジェクトの対向する表面にアンカー部分１９６または１９７を接合するための手段が提供されるので、テープラミネート１９０は、アンカー部分１９６、１９７と略平行な静的力に抗して一方のオブジェクトを他方から（例えば、示されるように壁１９３から壁掛け１９２を）支持できる。示されるように、接合するためのこの手段は、それぞれがアンカー部分１９６または１９７の異なる方に接合される感圧接着剤１９８の２つの層を具備する。この支持層１９１は、伸長可能な材料（例えば、伸長可能な重合体フィルムまたはフォーム）のものであり、その部分１９４、１９５のそれぞれが手で係合可能なタブ部分１９９を一端に有する。支持層１９１の第１および第２部分１９４、１９５は、その上の接着剤１９８の層と共に、それらが接着されるオブジェクトまたは壁掛け１９２および壁１９３から接着層１９８の接着係合を解放するためにそれらのタブ部分１９９が引っ張られることによって、伸長可能である。このテープラミネート１９０は、支持層１９１の第１および第２部分１９４、１９５を分離させるための分離手段を含み、それによって、タブ部分１９９にアクセスできるようにそれらの間のタブ部分１９９と共に接着層１９８によってアンカー部分１９６、１９７が接合される堅いオブジェクト（例えば、壁掛け１９２および壁１９３）の分離ができ、それによって、部分１９４、１９５を伸長させることによって堅いオブジェクトから（例えば壁１９３および壁掛け１９２から）部分１９４または１９５およびその上の接着層１９８の一方または両方の分離ができる。この手段は、支持層１９１が手で裂けることができるように、その部分１９４と１９５との間に弱くした部分２０２（例えば、示されたように横方向に細くなった断面、および一列のミシン目）をそれが有することで、提供される。テープラミネート１９０が壁１９３で支持している壁掛け１９２を掴むことによって、その弱くした部分２０２に沿って支持層１９１を引裂させ易くするてこの力を与えることができる。支持層の第１および第２部分１９４、１９５のそのような分離は、部分１９４、１９５上のタブ部分１９９へのアクセスを提供するので、それらは伸長されて、それらが接着されたオブジェクト（例えば壁１９３および壁掛け１９２）からそれらを取り外すことができる。
【００４４】
図２９および３０において、本発明によるテープラミネート２００の第１４実施例が示される。一般に、テープラミネート２００は、対向主表面、その対向端部に近接した第１および第２部分２０４、２０５、およびその部分２０４、２０５のそれぞれのその主表面の同じ方のアンカー部分２０６または２０７を有する伸長可能な材料（例えば、伸長可能な重合体フィルムまたはフォーム材料）の支持層２０１を具備する。この支持層２０１は、折り目部分２０８を有するので、支持層２０１の第１および第２部分２０４、２０５は、支持層２０１の対向側のアンカー部分２０６、２０７と共に略平行関係に配置される。図３０に示されるように壁掛け２１０および壁２１１などの堅いオブジェクトの対向表面にアンカー部分２０６または２０７を接合するための手段が提供されるので、テープラミネート２００は、アンカー部分２０６、２０７と略平行な静的力に抗して一方のオブジェクトを他方から（例えば、示されるように壁２１１から壁掛け２１０を）支持できる。示されるように、接合するこの手段は、それぞれが内部および外部対向主表面を有し、その内部主表面がアンカー部分２０６または２０７の一方に接合されている、２つの接着層２１２を具備する。支持層２０１の各部分２０４、２０５は、一端に手で係合可能なタブ部分２１４を有し、そのタブ部分２１４が引っ張られることでそれに接着される接着層２１２と共に伸長性であり、それが接着される壁掛け２１０または壁２１１などのオブジェクトから接着層２１２の外部主表面の接着係合を解放させる。このテープラミネート２００は、支持層２０１の第１および第２部分２０４、２０５を分離させる分離手段を含み、タブ部分２１４にアクセスできるように接着層２１２によってアンカー部分２０６、２０７が接合される堅いオブジェクト（例えば、壁掛け２１０および壁２１１）の十分な分離ができ、それによって支持層２０１の部分２０４または２０５とそれに接着された接着層２１２とを伸長させることで堅いオブジェクトの一方（例えば、壁２１１）から接着層２１２の少なくとも一方を分離できる。この手段は、支持層２０１の第１および第２部分２０４、２０５の間の折り目部分２０８による２つの方法のいずれかで提供される。この折り目部分２０８は、第１および第２部分の互いに離れる方向への旋回運動ができるので、その部分２０４、２０５が、ナイフなどの鋭利な切断具で折り目部分２０８に沿って切断されることで分離され、その後に分離された部分２０４または２０５の一方または両方が伸長されて、それが接着されたオブジェクトからそれを外すことができる。代わりに、示されるように、支持層２０１を手で裂くことができるように、それに折り目部分２０８に沿って弱くした部分２１６を持たせることもできる。テープラミネート２００が壁２１１で支持している壁掛け２１０を掴むと、その弱くした部分２１６に沿って支持層２０１を引裂させ易くするてこの力を与えることができる。
【００４５】
本発明は、数実施例およびその幾つかの予想され得る修正を参考にして説明した。数多くの変形が本発明の範囲を逸脱することなく説明した実施例に対して実施可能であることは当業者には明白であろう。故に、本発明の範囲は、請求の範囲の言語および同等のもので記載された構造および方法による以外、この出願書に記載された構造および方法に限定されるべきものではない。
【図面の簡単な説明】
本発明を添付の図を参照してさらに説明するが、数図面を通じて同一部分には同一参照符号を付すものとする。
【図１】  本発明によるテープラミネートの第１実施例の斜視図である。
【図２】  壁掛けの裏面に接着された図１のテープラミネートの斜視図である。
【図３】  図２の壁掛けを壁の表面に接着する図１のテープラミネートの側面図である。
【図４】  壁および／または壁掛けからテープラミネートを取り外すことができるように図１のテープラミネートの部分を分離するために図３に示されるように壁に接着された図２の壁掛けが持ち上げられた状態を示す斜視図である。
【図５】  ２つの図１のテープラミネートが壁掛けの裏面に接着された状態の斜視図である。
【図６】  本発明によるテープラミネートの第２実施例の端面図である。
【図７】  本発明によるテープラミネートの第３実施例の端面図である。
【図８ａ】  本発明によるテープラミネートの第４実施例の端面図である。
【図８ｂ】  図８ａで示された本発明によるテープラミネートの第４実施例の修正端面図である。
【図９】  壁に壁掛けまたは容器の断片が接着している状態が示された本発明によるテープラミネートの第５実施例の端面図である。
【図１０】  壁掛けまたは容器と組み合わせた本発明によるテープラミネートの第６実施例の斜視図である。
【図１１】  図１０に示される壁掛けまたは容器と組み合わせた本発明によるテープラミネートの第６実施例の異なる修正の斜視図である。
【図１２】  図１０に示される壁掛けまたは容器と組み合わせた本発明によるテープラミネートの第６実施例の異なる修正の斜視図である。
【図１３】  本発明によるテープラミネートの第７実施例の端面図である。
【図１４】  壁に壁掛けを取り付けた状態が示され、テープラミネートの部分が分離され、壁および／または壁掛けから取り外されるように壁から離れる方向に壁掛けが持ち上げられた状態が示された図１３で示されたテープラミネートの実施例の端面図である。
【図１５】  壁に壁掛けの断片を取り付けた状態が示された本発明によるテープラミネートの第８実施例の端面図である。
【図１６】  図８、図１３または図１５のいずれかのテープラミネートが壁に４つ取り付けられた２枚のパネルの正面図である。
【図１７】  本発明によるテープラミネートの第９実施例の斜視図である。
【図１８】  図１７のテープラミネートの端面図である。
【図１９】  壁に壁掛けを取り付ける図１７および図１８のテープラミネートを示す側面図である。
【図２０】  テープラミネートの部分を分離することによって壁から壁掛けを取り外す状態を示す図１９のテープラミネート、壁掛けおよび壁の斜視図である。
【図２１】  壁掛けが図１９で示されたような壁から取り外された後の図１９および２０で示された壁掛けおよび壁から図１７および１８のテープラミネートの分離された部分を取り外す状態を示す斜視図である。
【図２２】  図１７および１８のテープラミネートの修正を示す側面図である。
【図２３】  本発明によるテープラミネートの第１０実施例の斜視図である。
【図２４】  壁に壁掛けを取り付ける状態が示された図２３で示されたテープラミネートの実施例の端面図である。
【図２５】  容器または壁掛けと組み合わせた本発明によるテープラミネートの第１１実施例の斜視図である。
【図２６】  容器または壁掛けと組み合わせた本発明によるテープラミネートの第１２実施例の斜視図である。
【図２７】  本発明によるテープラミネートの第１３実施例の斜視図である。
【図２８】  壁に壁掛けを取り付けた状態が示された図２７で示されたテープラミネートの実施例の端面図である。
【図２９】  本発明によるテープラミネートの第１４実施例の斜視図である。
【図３０】  壁に壁掛けを取り付けた状態が示された図２９で示されたテープラミネートの実施例の端面図である。
【図１】
0004127964.tif 000002
【図２】
0004127964.tif 000003
【図３】
0004127964.tif 000004
【図４】
0004127964.tif 000005
【図５】
0004127964.tif 000006
【図６】
0004127964.tif 000007
【図７】
0004127964.tif 000008
【図８ａ】
0004127964.tif 000009
【図８ｂ】
0004127964.tif 000010
【図９】
0004127964.tif 000011
【図１０】
0004127964.tif 000012
【図１１】
0004127964.tif 000013
【図１２】
0004127964.tif 000014
【図１３】
0004127964.tif 000015
【図１４】
0004127964.tif 000016
【図１５】
0004127964.tif 000017
【図１６】
0004127964.tif 000018
【図１７】
0004127964.tif 000019
【図１８】
0004127964.tif 000020
【図１９】
0004127964.tif 000021
【図２０】
0004127964.tif 000022
【図２１】
0004127964.tif 000023
【図２２】
0004127964.tif 000024
【図２３】
0004127964.tif 000025
【図２４】
0004127964.tif 000026
【図２５】
0004127964.tif 000027
【図２６】
0004127964.tif 000028
【図２７】
0004127964.tif 000029
【図２８】
0004127964.tif 000030
【図２９】
0004127964.tif 000031
【図３０】
0004127964.tif 000032